(57)【要約】【課題】顔面から外した際においても、フェイスパッドに日焼け止めクリームや化粧品などの、顔面への塗布物が移りにくいスポーツ用ゴーグルを提供する【解決手段】レンズ１と、このレンズ１を支持する枠部２と、この枠部２の顔面側の面２１に設けられたフェイスパッド３とを備え、このフェイスパッド３は緩衝作用を有する弾性素材により構成され、このフェイスパッド３の少なくとも顔面側の面３１に、トリコット編みからなるトリコット布地４が取り付けられたことを特徴とするスポーツ用ゴーグルを提供する。【選択図】図２
0003133449.tif 000002
【実用新案登録請求の範囲】
【請求項１】
レンズ（１）と、このレンズ（１）を支持する枠部（２）と、この枠部（２）の顔面側の面（２１）に設けられたフェイスパッド（３）とを備え、
このフェイスパッド（３）は緩衝作用を有する弾性素材により構成され、
このフェイスパッド（３）の少なくとも顔面側の面（３１）に、トリコット編みからなるトリコット布地（４）が取り付けられたことを特徴とするスポーツ用ゴーグル。
【請求項２】
上記トリコット布地（４）が、ポリエステル糸、ナイロン糸、ポリウレタン糸から選択された一種の糸により編まれたものであることを特徴とする、請求項１に記載のスポーツ用ゴーグル。
【請求項３】
上記トリコット布地（４）が、撥水加工されたものであることを特徴とする、請求項１または２に記載のスポーツ用ゴーグル。
【請求項４】
上記フェイスパッド（３）における顔面側の面（３１）に凹凸（３２）が形成され、この凹凸（３２）に沿って上記トリコット布地（４）が配位されたものであることを特徴とする、請求項１または２に記載のスポーツ用ゴーグル。
【考案の詳細な説明】
【技術分野】
【０００１】
本願考案は、スキーやスノーボードなどのスポーツをする際に顔面に着用するスポーツ用ゴーグルに関するものである。
【背景技術】
【０００２】
【特許文献１】実公平８−７８４８号公報
【０００３】
従来から、スポーツ用ゴーグルとしては種々のものが用いられている。例えば本願の出願人による、特許文献１に記載のものがある。
【０００４】
このゴーグルには、レンズを支持するための枠部が設けられており、この枠部の顔面側の面に、スポンジなどからなるフェイスパッドが取り付けられている。ゴーグルを着用した際には、装着者の顔面にこのフェイスパッドが接触し、顔面と枠部との間から冷気がゴーグルの枠部内に入りにくいようにされている。
【考案の開示】
【考案が解決しようとする課題】
【０００５】
しかしながら、スキーやスノーボードを行う際には、装着者が顔面に日焼け止めクリームを塗っている場合が多い。そして女性の装着者は、顔面にファンデーションなどの化粧品を塗っている場合が多い。このように、装着者の顔面に塗布物が塗られた状態でゴーグルを着用することが多い。
【０００６】
そのため、ゴーグルを外した際に、フェイスパッドの表面に日焼け止めクリームや化粧品が移って汚れてしまい、この汚れが落ちなかったり、ゴーグルを外した後に日焼け止めクリームの塗りなおしや化粧直しが必要となる場合があった。
【０００７】
上記の他、フェイスパッドのスポンジの表面がポリエステルスウェードやフレンチパイルによって覆われたものが存在する。しかし、これらのものでも、上記のように日焼け止めクリームや化粧品が移ってしまうという問題が存在していた。
【０００８】
本願考案はこのことに鑑み、顔面から外した際においても、フェイスパッドに日焼け止めクリームや化粧品などの、顔面への塗布物が移りにくいスポーツ用ゴーグルを提供することを課題とする。
【課題を解決するための手段】
【０００９】
上記課題を解決するために、本願の請求項１に係る考案は、レンズ１と、このレンズ１を支持する枠部２と、この枠部２の顔面側の面２１に設けられたフェイスパッド３とを備え、このフェイスパッド３は緩衝作用を有する弾性素材により構成され、このフェイスパッド３の少なくとも顔面側の面３１に、トリコット編みからなるトリコット布地４が取り付けられたことを特徴とするスポーツ用ゴーグルを提供する。
【００１０】
また、本願の請求項２に係る考案は、上記トリコット布地４が、ポリエステル糸、ナイロン糸、ポリウレタン糸から選択された一種の糸により編まれたものであることを特徴とする、請求項１に記載のスポーツ用ゴーグルを提供する。
【００１１】
また、本願の請求項３に係る考案は、上記トリコット布地４が、撥水加工されたものであることを特徴とする、請求項１または２に記載のスポーツ用ゴーグルを提供する。
【００１２】
また、本願の請求項４に係る考案は、上記フェイスパッド３における顔面側の面３１に凹凸３２が形成され、この凹凸３２に沿って上記トリコット布地４が配位されたものであることを特徴とする、請求項１または２に記載のスポーツ用ゴーグルを提供する。
【考案の効果】
【００１３】
本願考案は、フェイスパッド３の少なくとも顔面側の面３１に、トリコット編みからなるトリコット布地４が取り付けられたことから、顔面から外した際においても、日焼け止めクリームや化粧品などの塗布物が移りにくいスポーツ用ゴーグルを提供することができたものである。
【００１４】
そして特に、請求項４に係る考案は、上記の効果に加え、フェイスパッド３における顔面側の面３１に凹凸３２が形成されてトリコット布地４が波打つようにされたことから、トリコット布地の顔面への接触面積を小さくし、更に塗布物が移りにくいものとできたものである。
【考案を実施するための最良の形態】
【００１５】
以下、図面に基づき本願考案の一実施例をとりあげて説明する。図１は本実施例を示す斜視図である。図２は縦端面図である。図３は他の実施例を示す。
【００１６】
本実施例のゴーグルは、図１に示すように、レンズ１を支持するための枠部２を備える。この枠部２は、装着者の両目を覆うように顔面上に配位される。この枠部２にはストラップ５が一体あるいは取り外し可能に設けられており、このストラップ５を装着者の頭部に巻き付けるように配位することにより、装着者の頭部にゴーグルを装着することができる。
【００１７】
図２に示すように、枠部２の顔面側の面２１にはフェイスパッド３が取り付けられている。本実施例では、このフェイスパッド３としてウレタンスポンジが用いられているが、例えばシリコンスポンジなど、緩衝作用を有する弾性素材であれば種々のものを用いることができる。
【００１８】
このフェイスパッド３の表面に、トリコット編みからなるトリコット布地４が取り付けられている。フェイスパッド３に対するトリコット布地４の取り付け方は、フェイスパッド３の全体をトリコット布地４が覆うものであっても良いし、フェイスパッド３の、顔面に接触する部分にのみトリコット布地４が貼り付けられたものであっても良い。
【００１９】
この布地４はトリコット編機を用いて編成された編地であり、ダブルトリコット編、シングルトリコット編等を採用でき、少なくともポリエステル糸、ナイロン糸、ポリウレタン糸から選択された一種の糸により編まれたものとされている。なお、これらの糸の二種以上により編まれたものであっても良い。
【００２０】
このフェイスパッド３へのトリコット布地４の取り付けは、トリコット布地４がフェイスパッド３に対して縫い付けられたことによりなさたものであっても良いし、接着剤により接着されたものであっても良い。
【００２１】
上記により、フェイスパッド３の表面のうち、少なくとも顔面側の面３１がトリコット布地４で覆われる。そのため、顔面に塗られた日焼け止めクリームや化粧品などの塗布物が付着しにくく、もし付着した場合であっても、トリコット布地４の表面を拭うことにより容易に取り除くことができる。
【００２２】
なお、このトリコット布地４は撥水加工がなされていることも好ましい。
【００２３】
また、図３（Ａ）（Ｂ）に示すように、フェイスパッド３の顔面側の面３１に凹凸３２を形成し、このフェイスパッド３を被覆するトリコット布地４がその凹凸３２に沿うようにしたものであってもよい。これにより、トリコット布地４の顔面への接触面積を小さくでき、更に塗布物が移りにくいものとすることができる。
【００２４】
上記の凹凸３２は、例えば、図３（Ａ）に示すように波状としたり、図３（Ｂ）に示すように独立した複数の突起として実施できるが、ここに例示したものに限らず、その他種々の形状にて実施可能である。
【図面の簡単な説明】
【００２５】
【図１】本実施例を示す斜視図である。
【図２】図１のＡ−Ａ矢視における縦端面図である。
【図３】他の実施例として、トリコット布地が波打つようにしたものを示し、（Ａ）は波状としたもの、（Ｂ）は独立した複数の突起としたものである。
【符号の説明】
【００２６】
１        レンズ
２        枠部
２１      枠部の顔面側の面
３        フェイスパッド
３１      フェイスパッドの顔面側の面
３２      凹凸
４        トリコット布地
【図１】
0003133449.tif 000003
【図２】
0003133449.tif 000004
【図３】
0003133449.tif 000005